(57)【要約】【課題】電話機による着信とトランシーバからの着信の両方に対応して個別呼出ができるようにした中継装置を提供する。【解決手段】中継装置は、ネットワークを介して他の機器から通信要求を受信したとき、この通信要求に無線機指定情報が含まれているかを判断する。通信要求に無線機指定情報が含まれていない場合、他の機器に対して無線機指定情報の入力を促す信号を送信し、これに応じて他の機器から無線機指定情報が送信されてきたとき、この無線機指定情報で指定される端末無線機を呼び出すように中継用無線機に指示する。また、通信要求に無線機指定情報が含まれている場合、この無線機指定情報で指定される端末無線機を呼び出すように中継用無線機に指示する。【選択図】図１
2014127875.tif 000002
【特許請求の範囲】
【請求項１】
複数の端末無線機と通信する中継用無線機が接続される無線機インタフェースと、
データ通信網であるネットワークに接続され、該ネットワークに接続された他の機器から、通信要求および前記端末無線機の一つを指定する無線機指定情報を受信するネットワークインタフェースと、
前記無線機インタフェースおよびネットワークインタフェースに接続される制御部と、
を備え、
前記制御部は、
前記他の機器から通信要求を受信したとき、この通信要求に前記無線機指定情報が含まれているかを判断し、
前記通信要求に前記無線機指定情報が含まれていない場合、前記他の機器に対して無線機指定情報の入力を促す信号を送信し、これに応じて前記他の機器から前記無線機指定情報が送信されてきたとき、この無線機指定情報で指定される前記端末無線機を呼び出すように前記中継用無線機に指示し、
前記通信要求に前記無線機指定情報が含まれている場合、この無線機指定情報で指定される前記端末無線機を呼び出すように前記中継用無線機に指示する
中継装置。
【請求項２】
前記通信要求は、ＳＩＰプロトコルのＩＮＶＩＴＥメッセージであり、
前記無線機指定情報は、ＴＯヘッダに埋め込まれる
請求項１に記載の中継装置。
【発明の詳細な説明】
【技術分野】
【０００１】
この発明は、無線機に対する他の無線機や電話機からの通信をネットワークを介して中継する中継装置に関する。
【背景技術】
【０００２】
相互に電波が到達しないエリアのトランシーバ同士が通信できるように、ＬＡＮなどのネットワークで通信を中継する中継装置が提案されている（たとえば特許文献１参照）。また、特許文献１のシステムでは、中継装置の中継により、トランシーバと電話機との通信をも可能にしている。
【先行技術文献】
【特許文献】
【０００３】
【特許文献１】特開２０１１−１３５２９０号公報
【発明の概要】
【発明が解決しようとする課題】
【０００４】
しかし、特許文献１のシステムでは、１台の中継装置に対して複数のトランシーバが通信を行い、トランシーバを指定できないため、この中継装置を介した通信は、この中継装置に接続される全てのトランシーバに聴かれてしまう。
【０００５】
そこで、中継装置からトランシーバを個別に呼び出して通信し、他のトランシーバに通信内容を傍受できないようにすることが考えられる。電話機の場合、外線番号＋内線番号のように複数回のダイヤルは通常行われることであり、複数回のダイヤルで任意の通信相手（トランシーバ）を指定できることが望まれる。一方、携帯トランシーバ等の無線機の場合、片手で操作されボタン数も少ないため、簡単な操作で手早く目的の相手装置を個別呼出できることが望まれる。
【０００６】
この発明は、電話機による着信とトランシーバからの着信の両方に対応して個別呼出ができるようにした中継装置を提供することを目的とする。
【課題を解決するための手段】
【０００７】
この発明の中継装置は、複数の端末無線機と通信する中継用無線機が接続される無線機インタフェースと、データ通信網であるネットワークに接続され、ネットワークに接続された他の機器から、通信要求および端末無線機の一つを指定する無線機指定情報を受信するネットワークインタフェースと、無線機インタフェースおよびネットワークインタフェースに接続される制御部と、を備える。制御部は、他の機器から通信要求を受信したとき、この通信要求に無線機指定情報が含まれているかを判断する。通信要求に無線機指定情報が含まれていない場合、他の機器に対して無線機指定情報の入力を促す信号を送信し、これに応じて他の機器から無線機指定情報が送信されてきたとき、この無線機指定情報で指定される端末無線機を呼び出すように中継用無線機に指示する。また、通信要求に無線機指定情報が含まれている場合、この無線機指定情報で指定される端末無線機を呼び出すように中継用無線機に指示する。
【０００８】
他の機器から送られてくる通信要求は、ＳＩＰプロトコルのＩＮＶＩＴＥメッセージであってもよく、この場合に、無線機指定情報がＴＯヘッダに埋め込まれていてもよい。
【発明の効果】
【０００９】
この発明によれば、通信要求に無線機指定情報が含まれていた場合には、この無線機指定情報を用いて端末無線機に対して個別呼出を行う。これにより、簡略な手順で通信を成立させることができる。また、通信要求に無線機指定情報が含まれていない場合、通信相手である他の機器に無線機指定情報をさらに送信するように要求し、これによって受信した無線機指定情報を用いて端末無線機に対して個別呼出を行う。これにより、無線機指定情報を選択して送信する自由度の高い通信要求を受けることも可能になる。
【図面の簡単な説明】
【００１０】
【図１】この発明の実施形態である中継装置が適用される通信システムの構成図である。
【図２】端末無線機であるトランシーバの記憶内容を示す図である。
【図３】中継装置のブロック図である。
【図４】中継装置の記憶部の記憶内容を示す図である。
【図５】中継装置の動作を示すフローチャートである。
【発明を実施するための形態】
【００１１】
図面を参照してこの発明の中継装置が用いられる通信システムについて説明する。図１は、通信システムの構成図である。この通信システムは、中継装置２を用いて、端末無線機であるトランシーバ４相互の通話、および、トランシーバ４とＩＰ電話機６または電話機８との間の通話を可能にしたシステムである。
【００１２】
ネットワーク１はたとえばＥｔｈｅｒｎｅｔ（登録商標）で構成されるＬＡＮやインターネットが適用可能である。このネットワーク１に複数の中継装置２（図１では２台）の中継装置２が接続されている。各中継装置２（２Ａ，２Ｂ）は、それぞれ異なる通信エリアＡ，Ｂをカバーしている。中継装置２には、中継用無線機であるレピータ３（３Ａ，３Ｂ）が接続されている。レピータ３は、据え置き型のトランシーバであり、いわゆるプッシュ・トゥ・トーク（Ｐｕｓｈ  ｔｏ  Ｔａｌｋ：ＰＴＴ）形式の半二重通信機器であっても、送受信を同時に行うことができる全二重通信機器であってもよい。レピータ３の通信圏内には、１または複数台（図示では２台）のトランシーバ４（４Ａ−１，２、４Ｂ−１，２）が存在している。
【００１３】
レピータ３とトランシーバ４とは相互に通信可能な形式のデジタルトランシーバである。デジタルトランシーバは、デジタル信号に変換された音声信号やデータを無線で送受信する。また、音声信号の送受信と同時に並行して宛先情報などの制御情報を送受信することができる。レピータ３は、トランシーバ４から受信したデジタル信号をパケット化して中継装置２に入力するとともに、中継装置２から入力されたパケットから音声信号や制御情報を取り出し、この音声信号や制御情報を時間軸のデジタル信号に変換して送信する。レピータ３が本発明の中継用無線機に対応し、トランシーバ４が本発明の端末無線機に対応する。
【００１４】
また、ネットワーク１には、ＩＰ電話機６およびＶｏＩＰゲートウェイ７が接続されている。ＶｏＩＰゲートウェイ７には電話機８が接続されている。ＶｏＩＰゲートウェイは、ネットワーク１を介して音声信号を伝送するＶｏＩＰ（Ｖｏｉｃｅ  ｏｖｅｒ  Ｉｎｔｅｒｎｅｔ  Ｐｒｏｔｏｃｏｌ）手順と音声通話装置である電話機８とを中継するゲートウェイ装置である。
【００１５】
以下の実施形態では、ＩＰ電話機６、電話機８、または、トランシーバ４Ｂ−１，２が、トランシーバ４Ａ−１または４Ａ−２と通信するために、中継装置２Ａに対して通信要求を送ってくる場合について説明する。
【００１６】
中継装置２は、簡易ＳＩＰサーバ機能を内蔵しており、以下のよう動作する。レピータ３を介してトランシーバ４から受信した信号に通信先の情報が含まれている場合、この通信先をＴＯヘッダに書き込んだＩＮＶＩＴＥメッセージを相手装置に送信する。また、他の機器からＩＮＶＩＴＥメッセージを受信した場合、このＩＮＶＩＴＥメッセージにトランシーバ４を指定する無線機識別情報が含まれていれば、このＩＮＶＩＴＥメッセージで指定されたトランシーバ４をレピータ３に呼び出させる。また、受信したＩＮＶＩＴＥメッセージにトランシーバ４を指定する無線機識別情報が含まれていない場合には、相手装置に無線機識別情報（セカンドダイヤル）を要求し、これに応じて送られてきた無線機識別情報で指定されるトランシーバ４をレピータ３に呼び出させる。
【００１７】
トランシーバ４は、図２に示すように、自局を識別するＩＤ（無線機識別情報）、および、自局が所属するグループ番号を記憶しており、受信したデジタル信号に宛先情報として自局のＩＤまたは自局が所属するグループ番号が埋め込まれていれば、この信号を復調して音声信号をスピーカ等から出力する。また受信したデジタル信号に自局のＩＤまたは自局が所属するグループ番号が埋め込まれていない場合には、このデジタル信号を破棄する。なお、自局のＩＤや自局が所属するグループ番号は、受信した音声信号中に、たとえばスケルチコードとして挿入されている。
【００１８】
図３は、中継装置２のブロック図である。また、図４は、記憶部２４の記憶内容を示す図である。中継装置２は、制御部２０を有するとともに、下流（レピータ３側）の端部に無線機インタフェース２１、および、上流（ネットワーク１側）の端部にネットワークインタフェース２２を備えている。無線機インタフェース２１、ネットワークインタフェース２２ともに、たとえばＥｔｈｅｒｎｅｔ（登録商標）の物理層のコネクタなどが適用可能であり、デジタル通信の物理層やデータリンク層を担当する。
【００１９】
無線機インタフェース２１は、レピータ３から入力されたパケットを制御部２０に入力するとともに、制御部２０から入力されたパケットをレピータ３に転送する。ネットワークインタフェース２２は、ネットワーク１経由で受信した他の機器からのパケットを制御部２０に入力するとともに、制御部２０から入力されたパケットをネットワーク１に送出する。
【００２０】
制御部２０は、マイコン等で構成され、機能的に、ＳＩＰ処理部２３、記憶部２４、上りパケット処理部２５および下りパケット処理部２６を備えている。記憶部２４には、図４に示す自局ＩＰアドレス記憶エリア２００、自局電話番号記憶エリア２０１、接続情報デーブル２０２、および、無線機番号テーブル２０３が設定されている。
【００２１】
ＳＩＰ処理部２３は、トランシーバ４がネットワーク１上の他の機器と通信できるように以下の処理を実行する。レピータ３経由でトランシーバ４から発信要求を受信したとき、この発信要求に含まれている通信相手指定情報に基づいて、ＩＮＶＩＴＥメッセージを編集して相手装置に送信する。
【００２２】
記憶部２４に設定されている接続情報テーブル２０２は、通信相手指定情報で識別される（他の中継装置２に接続されている）トランシーバ４と接続するための、接続情報を記憶している。すなわち、接続情報テーブル２０２には、通信相手のトランシーバ４に接続するための接続情報として、呼出種別（呼出がグループ呼出であるか個別呼出であるかの種別）および通信相手のトランシーバ４を識別するＩＤが記憶され、さらに、このトランシーバ４が接続される中継装置２のＩＰアドレスが記憶されている。
【００２３】
ＳＩＰ処理部２３は、レピータ３経由でトランシーバ４から発信要求を受信したとき、この発信要求に含まれる通信相手指定情報に対応する接続情報を用いてＩＮＶＩＴＥメッセージを編集する。すなわち、ＩＤとＩＰアドレスを組み合わせてＵＲＩを作成し、宛先（ＴＯヘッダの内容）とする。たとえば、図４の接続情報テーブル２０２において、通信相手識別情報が＊１であったとすると、ＵＲＩは＊０００２＠１９２．１６８．０．ｚｚとなる。このように、トランシーバ４は簡略な通信相手識別情報（たとえば＊１）を送信するのみで、通信相手を直接指定したＩＮＶＩＴＥメッセージを編集して送信することができる。
【００２４】
また、ネットワーク１からＩＮＶＩＴＥメッセージを受信したとき、ＳＩＰ処理部２３は、そのＩＮＶＩＴＥメッセージのＴＯヘッダの情報に基づいて、自己の配下にあるトランシーバ４のうちどのトランシーバ４に対する呼び出しであるかを判断する。すなわち、ＴＯヘッダに書き込まれているＵＲＩのうちのユーザパート（＠よりも前の部分）を読み出し、これが「００００」でない、すなわち中継装置２自身を指定するものでない場合、このユーザパートをＩＤとして無線機番号テーブル２０３を検索して対応するトランシーバ４（無線機番号）を割り出す。無線機番号をレピータ３に転送し、割り出されたトランシーバ４に対して個別呼出を行うようレピータ３に指示を出す。また、ＵＲＩのユーザパートが中継装置２を指定する「００００」であった場合には、発信元の機器に対してセカンドダイヤル（ＩＤの送信）を要求する信号を返信して、この機器からＩＤを受信する。そして、受信したユーザ情報をＩＤとして無線機番号テーブル２０３を検索して対応するトランシーバ４を割り出す。割り出されたトランシーバ４に対して個別呼出を行うようレピータ３に指示を出す。こののち、ＳＩＰ手順を進めて、通信（通話）のセッションを確立する。
【００２５】
上りパケット処理部２５は、通話セッション中に無線機インタフェース２１を介してレピータ３から入力された上りの音声パケットから音声信号を読み出してＲＴＰパケットに変換してネットワークインタフェース２２に転送する処理を行う。下りパケット処理部２６は、ＶＯＸ（Voice Operated Relay）機能を有し、通話セッション中にネットワークインタフェース２２から入力されたＲＴＰパケットに含まれるオーディオ信号のレベルおよび持続時間を監視する。入力されたオーディオ信号のレベルおよび持続時間が、所定のしきい値以上になったとき、相手機器から発話音声が入力されているとして、このＲＴＰパケットを、音声信号に呼出情報を埋め込んだ音声パケットに変換してレピータ３に転送する。レピータ３は、中継装置２から音声パケットが入力されると、ＰＴＴをオンしてこの音声パケットに含まれる音声信号を送信する。
【００２６】
レピータ３とトランシーバ４との間で送受される無線機番号や通信相手指定情報などのデジタル信号は、音声信号の合間にある制御情報領域に書き込まれる。またスケルチコードとして無線機番号を書き込んでもよい。無線機番号が書き込まれたデジタル信号は、その無線機番号で識別されるトランシーバ４のみによって復調・再生される。この機能を利用して上記の選択呼出による個別通話を実現している。
【００２７】
なお、上では、ＵＲＩのユーザパートに通信相手のＩＤを書き込んだＩＮＶＩＴＥメッセージを送信することによって、通信相手を直接指定する例について説明したが、ＵＲＩのユーザパートは中継装置２を指定するもの「００００」に固定しておき、ＴＯヘッダのディスプレイネーム（Ｄｉｓｐｌａｙ  Ｎａｍｅ）欄に通信相手のＩＤを書き込んで通信相手を直接指定するようにしてもよい。
【００２８】
図５のフローチャートを参照して中継装置２のＩＮＶＩＴＥメッセージ受信時の動作を説明する。ネットワークインタフェース２２を介してＩＮＶＩＴＥメッセージを受信したときこの処理が実行される。まず、受信したＩＮＶＩＴＥメッセージのＴＯヘッダ中にトランシーバ４を指定するＩＤが含まれているかを判定する（Ｓ１０）。ＴＯヘッダにＩＤが含まれている場合には（Ｓ１０でＹＥＳ）、トランシーバ４を直接指定するＩＮＶＩＴＥメッセージであるとして、無線機番号テーブル２０３を検索する（Ｓ１１）。無線機番号テーブル２０３にこのＩＤが登録されている場合には（Ｓ１２でＹＥＳ）、無線機番号テーブルから対応する無線機番号を読み出し（Ｓ１３）、この無線機番号をレピータ３に転送して対応するトランシーバ４に対して個別呼出をかけるよう指示する（Ｓ１４）。こののち、このトランシーバ４と通信の相手機器との間で通話セッションが確立されるようにＳＩＰ手順を進める。なお、ＴＯヘッダに含まれていたＩＤが無線機番号テーブル２０３に登録されていなかった場合には（Ｓ１２でＮＯ）、相手機器に対してＢＵＳＹを返信し（Ｓ１５）、処理を終了する。
【００２９】
一方、受信したＩＮＶＩＴＥメッセージにトランシーバ４を指定するＩＤが含まれていなかった場合には（Ｓ１０でＮＯ）、相手機器に対してセカンドダイヤルを指示する信号（セカンドダイヤル指示トーン）を返して（Ｓ２０）、セカンドダイヤルすなわちＩＤの入力を促す。これに応じて相手機器からＩＤが送信されてくると（Ｓ２１でＹＥＳ）、このＩＤで無線機番号テーブル２０３を検索する（Ｓ２５）。無線機番号テーブル２０３にこのＩＤが登録されている場合には（Ｓ２６でＹＥＳ）、無線機番号テーブルから対応する無線機番号を読み出し（Ｓ２７）、この無線機番号をレピータ３に転送して対応するトランシーバ４に対して個別呼出をかけるよう指示する（Ｓ２８）。こののち、このトランシーバ４と通信の相手機器との間で通話セッションが確立されるようにＳＩＰ手順を進める。なお、送られてきたＩＤが無線機番号テーブル２０３に登録されていなかった場合には（Ｓ２６でＮＯ）、相手機器に対してＢＵＳＹを返信し（Ｓ２９）、処理を終了する。
【００３０】
なお、Ｓ２１でＩＤを受信しないまま一定時間が経過してタイムアウトした場合（Ｓ２２でＹＥＳ）もＢＵＳＹを返信して（Ｓ２９）、処理を終了する。
【００３１】
このように、トランシーバ４を指定するＩＤがＩＮＶＩＴＥメッセージのＴＯヘッダに含まれていた場合には、相手機器にセカンドダイヤルを要求することなく、ＩＤで指定されたトランシーバ４に対して個別呼出を行い、ＩＮＶＩＴＥメッセージのＴＯヘッダにＩＤが含まれていない場合には、相手機器に対してセカンドダイヤルを要求して、相手機器のユーザに改めてＩＤの入力・送信を促すようにしたことにより、携帯のトランシーバ４からは簡易な手順で発信が可能になるとともに、デスクトップの電話機からは誰にでもつなぐことのできる自由度の高い発信が可能になる。
【００３２】
なお、ＩＤおよび無線機番号が本発明の無線機指定情報に対応する。
【００３３】
この実施形態では、電話機番号テーブルを用いて、ＩＤを電話機番号に変換しているが、ＩＤと電話機番号とを同じ文字列（数値）にすれば、変換することなく、ＩＤで直接トランシーバ４を呼び出すことが可能になる。
【００３４】
この実施形態では、ＴＯヘッダに含まれていたＩＤを電話機番号に変換する電話機番号テーブルと、セカンドダイヤルによって送られてきたＩＤを電話機番号に変換する電話機番号テーブルを共通にしているが、これらを別のテーブルとして持ってもよい。
【符号の説明】
【００３５】
１  ネットワーク
２  中継装置
３  レピータ
４  トランシーバ
６  ＩＰ電話機
７  ＶｏＩＰゲートウェイ
８  電話機
【図１】
2014127875.tif 000003
【図２】
2014127875.tif 000004
【図３】
2014127875.tif 000005
【図４】
2014127875.tif 000006
【図５】
2014127875.tif 000007